(57)【特許請求の範囲】
【請求項１】
複数の外部装置と接続する接続手段と、
前記接続手段により接続されている複数の外部装置から撮影パラメータを受信する受信手段と、
前記複数の撮影パラメータを前記複数の外部装置にそれぞれ対応づけて記憶媒体に記憶する記憶手段と、
前記記憶媒体に記憶されている撮影パラメータのうち、いずれかを用いて撮影することにより、画像データであるフレームを生成する撮影手段と、
前記撮影手段により連続して生成されるフレームを、順次前記外部装置に送信する送信手段とを有し、
前記接続手段により複数の外部装置と接続している場合、前記撮影手段は、前記記憶媒体に記憶されている複数の撮影パラメータのうち、接続中の外部機器に対応する撮影パラメータを所定のフレーム数毎に切り替えて撮影し、
前記送信手段は、前記撮影手段によって生成される各フレームを、次のフレームの生成を待つことなく、前記フレームの生成に用いられた撮影パラメータに対応する外部装置に順次送信することを特徴とする撮像装置。
【請求項２】
前記外部装置に対応づけられた撮影パラメータが前記記憶媒体に記憶されている状態で、前記受信手段により、同じ外部装置から更に撮影パラメータが受信された場合、前記撮影パラメータを送信した外部装置に対応する撮影パラメータを更新する更新手段を更に有することを特徴とする請求項１に記載の撮像装置。
【請求項３】
前記所定のフレーム数は１フレームであることを特徴とする請求項１または２に記載の撮像装置。
【請求項４】
前記送信手段による、所定の外部装置へのフレームの送信の間隔は、接続中の外部装置の数に応じて変更されることを特徴とする請求項１乃至３のいずれか１項に記載の撮像装置。
【請求項５】
前記撮影パラメータは、絞り値、シャッタースピード、ＩＳＯ感度のうち少なくとも一つを含むことを特徴とする請求項１乃至４のいずれか１項に記載の撮像装置。
【請求項６】
前記撮影パラメータは更に、シャープネス、コントラストのうち少なくとも一つを含むことを特徴とする請求項５に記載の撮像装置。
【請求項７】
前記送信手段は、前記撮影手段により生成される画像データに対して前記撮影パラメータに基づく画像処理が施された画像データを、前記撮影パラメータに対応する外部装置に送信することを特徴とする請求項１乃至６のいずれか１項に記載の撮像装置。
【請求項８】
前記受信手段は更に、前記接続手段により接続している複数の外部装置から撮影に関する要求を受信し、
前記撮影手段は、前記要求が受信されたことに応じて、前記要求を送信した外部装置に対応する撮影パラメータを用いて撮影を実行することにより画像データを生成し、
前記受信手段により、前記接続手段により接続している複数の外部装置のうち第１の外部装置から撮影に関する要求を受信してから所定の時間内に、前記接続手段により接続している複数の外部装置のうち、前記第１の外部装置とは異なる第２の外部装置から撮影に関する要求を受信した場合、前記送信手段は、前記第１の外部装置に対応する撮影パラメータを用いて撮影された画像データを前記第２の外部装置に送信することを特徴とする請求項１乃至７のいずれか１項に記載の撮像装置。
【請求項９】
前記受信手段は更に、前記接続手段により接続している複数の外部装置から撮影に関する要求を受信し、
前記撮影手段は、前記要求が受信されたことに応じて、前記要求を送信した外部装置に対応する撮影パラメータを用いて撮影を実行することにより画像データを生成し、
前記受信手段により第１の外部装置から撮影に関する要求を受信してから所定の時間内に、前記第１の外部装置とは異なる第２の外部装置から撮影に関する要求を受信した場合、前記送信手段は、前記第１の外部装置に対応する撮影パラメータを用いて撮影された画像データに対して、前記第２の外部装置に対応する撮影パラメータにより画像処理が施された画像データを前記第２の外部装置に送信することを特徴とする請求項７に記載の撮像装置。
【請求項１０】
前記受信手段により、前記接続手段により接続している複数の外部装置のうち前記第１の外部装置から撮影に関する要求を受信してから所定の時間内に、前記接続手段により接続している複数の外部装置のうち、前記第１の外部装置とは異なる第２の外部装置から撮影に関する要求を受信した場合、前記撮影手段は、前記第２の外部装置の要求に対応した撮影を実行しないことを特徴とする請求項８または９に記載の撮像装置。
【請求項１１】
前記受信手段は更に、前記接続手段により接続している複数の外部装置から撮影に関する要求を受信し、
前記撮影手段は、前記要求が受信されたことに応じて、前記要求を送信した外部装置に対応する撮影パラメータを用いて撮影を実行することにより画像データを生成し、
前記受信手段により、前記接続手段により接続している複数の外部装置のうち第１の外部装置から撮影に関する要求を受信してから所定の時間内に、前記接続手段により接続している複数の外部装置のうち、前記第１の外部装置とは異なる第２の外部装置から撮影に関する要求を受信した場合、前記撮影手段は、前記第２の外部装置の要求に対応した撮影を実行しないようにすることを特徴とする請求項１に記載の撮像装置。
【請求項１２】
前記接続手段は、無線通信を用いて前記複数の外部装置と接続することを特徴とする請求項１乃至１１のいずれか１項に記載の撮像装置。
【請求項１３】
前記接続手段は、無線ＬＡＮを用いて前記複数の外部装置と接続することを特徴とする請求項１２に記載の撮像装置。
【請求項１４】
複数の外部装置と接続することが可能な撮像装置の制御方法であって、
前記接続されている複数の外部装置から撮影パラメータを受信する受信ステップと、
前記複数の撮影パラメータを前記複数の外部装置にそれぞれ対応づけて記憶媒体に記憶する記憶ステップと、
前記記憶媒体に記憶されている撮影パラメータのうち、いずれかを用いて撮影することにより、画像データであるフレームを生成する撮影ステップと、
連続して実行される前記撮影ステップで生成されるフレームを、順次前記外部装置に送信する送信ステップとを有し、
複数の外部装置と接続している場合、前記撮影ステップでは、前記記憶媒体に記憶されている複数の撮影パラメータのうち、接続中の外部機器に対応する撮影パラメータを所定のフレーム数毎に切り替えて撮影し、
前記送信ステップでは、前記撮影ステップで生成される各フレームを、次のフレームの生成を待つことなく、前記フレームの生成に用いられた撮影パラメータに対応する外部装置に順次送信することを特徴とする撮像装置の制御方法。
【請求項１５】
コンピュータを請求項１乃至１３のいずれか１項に記載の撮像装置の各手段として機能させるためのコンピュータが読み取り可能なプログラム。
【発明の詳細な説明】
【技術分野】
【０００１】
本発明は撮像装置、撮像装置の制御方法及びプログラムに関し、特に、ネットワーク上から撮影に関わる指示を行うために用いて好適な技術に関する。
【背景技術】
【０００２】
従来、ＬＡＮやインターネットといったネットワーク上に静止画像データや動画像データを直接配信することが可能なカメラが普及している。最近では、このようなカメラであって、静止画像データや動画像データを配信するだけでなく、表示デバイスから遠隔操作によって撮影パラメータを変更することができるものが増えつつある。その中で、ＡＶ値（絞り値）、シャッタースピード、ＩＳＯ感度等の撮影パラメータをネットワーク上から変更することができる機種もある。この場合、クライアントであるパーソナルコンピュータ（ＰＣ）、携帯電話、モバイル機器などの表示デバイスからネットワークを介して撮影パラメータを変更する。これにより、カメラのＡＶ値、シャッタースピード、ＩＳＯ感度等の撮影パラメータや、コントラストやシャープネスといった現像パラメータを制御して、自分の好みの写真表現で撮影することができる。
【０００３】
しかしながら、このようなカメラでは、１台のカメラを複数のクライアントが使用した場合、撮影パラメータが同期して直近に設定された撮影パラメータが反映されてしまう。このため、自分が撮影パラメータを変更した後に、他のクライアントにより撮影パラメータが変更されると、自分が設定した撮影パラメータで撮影することができなくなってしまう。
【０００４】
そこでこの問題点を解決するために、例えば特許文献１には、以下のような技術が開示されている。すなわち、まず、あるクライアントがカメラの制御権を獲得して、撮影レンズの撮影方向、撮影倍率などの撮影パラメータを変更する。そして、カメラの制御権を獲得しているクライアントによりカメラの制御権を放棄する場合に、撮影レンズの撮影方向、撮影倍率などの撮影パラメータを既定値に戻す。なお、カメラ制御権が外れたときに戻る既定値を、制御権を獲得したクライアントごとに個別に設定することもできる。また、例えば特許文献２には、制御権の有無に関係なく、複数のクライアントが自分の閲覧したい範囲をカメラの巡回撮影リストに保存し、カメラはそのリストに従って撮影する画角範囲を変更して巡回撮影を行う技術が開示されている。
【先行技術文献】
【特許文献】
【０００５】
【特許文献１】特開２００６−５４７８５号公報
【特許文献２】特開２００７−３０６０４８号公報
【発明の概要】
【発明が解決しようとする課題】
【０００６】
しかしながら特許文献１に記載の方法は、制御権を有しているクライアントが制御権を放棄するか時間切れとなるまで、他のクライアントは撮影したり撮影パラメータを変更したりすることができないという問題点がある。また、特許文献２に記載の方法は、カメラが自分の閲覧したい範囲を巡回した時のみ、自分の閲覧したい範囲を閲覧することができるが、それ以外の時は自分の閲覧したい範囲を閲覧することができないという問題点がある。
【０００７】
本発明は前述の問題点に鑑み、クライアント間の競合を少なくしつつ、クライアントが望むタイミング及び撮影パラメータにより撮影することができるようにすることを目的としている。
【課題を解決するための手段】
【０００８】
本発明の撮像装置は、複数の外部装置と接続する接続手段と、前記接続手段により接続されている複数の外部装置から撮影パラメータを受信する受信手段と、前記複数の撮影パラメータを前記複数の外部装置にそれぞれ対応づけて記憶媒体に記憶する記憶手段と、前記記憶媒体に記憶されている撮影パラメータのうち、いずれかを用いて撮影することにより、画像データであるフレームを生成する撮影手段と、前記撮影手段により連続して生成されるフレームを、順次前記外部装置に送信する送信手段とを有し、前記接続手段により複数の外部装置と接続している場合、前記撮影手段は、前記記憶媒体に記憶されている複数の撮影パラメータのうち、接続中の外部機器に対応する撮影パラメータを所定のフレーム数毎に切り替えて撮影し、前記送信手段は、前記撮影手段によって生成される各フレームを、次のフレームの生成を待つことなく、前記フレームの生成に用いられた撮影パラメータに対応する外部装置に順次送信することを特徴とする。
【発明の効果】
【０００９】
本発明によれば、クライアント間の競合を少なくしつつ、撮影要求を送信した外部装置に対応する撮影パラメータを用いて所望のタイミングで撮影を実行させることができる。
【図面の簡単な説明】
【００１０】
【図１】撮像装置及び利用者側装置の構成例を示すブロック図である。
【図２】撮影パラメータ設定要求を受けた際の処理例を示すフローチャートである。
【図３】撮影実行要求を受けた場合の処理手順の一例を示すフローチャートである。
【図４】要求を受け付けることができない旨を送信する処理例を説明する図である。
【図５】他の利用者側装置から撮影実行要求を受信した際の処理例を示す図である。
【図６】動画像の場合の撮影パラメータの振り分け手順を説明する図である。
【発明を実施するための形態】
【００１１】
（第１の実施形態）
以下、本発明の第１の実施形態について図面を参照しながら説明する。
図１は、本実施形態に係る撮像装置１００及び利用者側装置の構成例を示すブロック図である。
図１において、本実施形態に係る撮像装置１００は、例えばインターネットやＬＡＮ等の回線２００を介して第１の利用者側装置３００、第２の利用者側装置４００、及び第３の利用者側装置５００に接続されている。なお、無線ＬＡＮのアドホックモードなどの直接通信において回線を介さず直接接続されていてもよい。
【００１２】
撮像装置１００は、撮影部１０１、制御部１０２、記憶部１０３、現像部１０４、及び通信部１０５を備えている。撮像装置１００は、第１の利用者側装置３００、第２の利用者側装置４００、または第３の利用者側装置５００から送信される各撮影パラメータを判別する。そして、受け取った撮影パラメータで撮影、現像を行い、撮影した画像データを、撮影パラメータを送信した、第１の利用者側装置３００、第２の利用者側装置４００、または第３の利用者側装置５００に伝送する。
【００１３】
第１の利用者側装置３００は、通信部３０１、制御部３０２、入力部３０３、表示部３０４、及び記憶部３０５を備えている。なお、第２の利用者側装置４００及び第３の利用者側装置５００も第１の利用者側装置３００と同様の内部構成を備えているため、図１において詳細な内部構成は省略している。本実施形態では、第１の利用者側装置３００は、例えばパーソナルコンピュータ（以下、ＰＣ）として構成されている。また、第２の利用者側装置４００は携帯電話機器として構成されており、第３の利用者側装置５００は携帯情報機器として構成されている。ここで、利用者側装置は、撮影画像を表示可能な表示部と、撮影命令や撮影パラメータ設定を行う入力部とを備える装置であれば構成形態は任意であり、ＰＣや携帯電話機器、携帯情報機器に限定されるものではない。
【００１４】
撮像装置１００において、撮影部１０１は、制御部１０２の制御に基づいた撮影パラメータにより撮影を行う。制御部１０２は、撮影パラメータを制御するためのカメラ制御部である。ここで、撮影パラメータには、撮像装置１００が撮影の際に用いるパラメータが含まれており、絞り値、シャッタースピード、ＩＳＯ感度等を指す。また、撮影パラメータには、後述する現像パラメータも含まれている。記憶部１０３は、複数の利用者側装置より設定された撮影パラメータを利用者側装置ごとに保持する記憶手段であり、制御部１０２は必要に応じて記憶部１０３に記憶された撮影パラメータを読み出す。
【００１５】
現像部１０４は、撮影部１０１にて撮影した画像に対して、記憶部１０３に記憶されている利用者側装置毎の現像パラメータを用いて現像（画像処理）を行う。ここで、現像パラメータは撮影した画像を現像する際に用いるパラメータであり、シャープネスやコントラスト等を指す。通信部１０５は、現像部１０４により生成された画像データを利用者側装置へ送信するとともに、利用者側装置から撮影パラメータ変更制御信号を受け取り、制御部１０２に送る。
【００１６】
第１の利用者側装置３００において、通信部３０１は、撮像装置１００との間の通信を司るものであり、入力部３０３より入力された制御情報を撮像装置１００に送信する。また、通信部３０１は、撮像装置１００より回線２００を経由して送信された画像データを受信する。表示部３０４は、撮像装置１００より受信した画像データを、制御部３０２の制御に基づき画像として表示する。制御部３０２は、第１の利用者側装置３００の各部の制御を司る。入力部３０３は、ユーザーの操作に応じて撮影を実行したり、撮影パラメータ及び現像パラメータを設定したりするなどの入力に用いる。
【００１７】
図２は、本実施形態において、第１の利用者側装置３００、第２の利用者側装置４００、または第３の利用者側装置５００から撮影パラメータ設定要求を受けた場合の撮像装置１００の処理手順の一例を示すフローチャートである。ここで、撮像装置１００は、複数の利用者側装置の撮影パラメータを保持・管理している。本実施形態では、記憶部１０３が、第１の利用者側装置３００の撮影パラメータ、第２の利用者側装置４００の撮影パラメータ、及び第３の利用者側装置５００の撮影パラメータをそれぞれ記憶しているものとする。また、図２に示す各処理は、制御部１０２の制御により行われる。なお、現像パラメータに関しても同様に設定可能である。
【００１８】
図２において、通信部１０５を介して利用者側装置から撮影パラメータ設定要求を受信するまで待機する（ステップＳ２０１）。そして、撮影パラメータ設定要求を受信すると、撮像装置１００が撮影中であるかどうかを判別する（ステップＳ２０２）。この判別の結果、撮影中である場合は、撮影パラメータ設定要求を反映しないように制御する（ステップＳ２０３）。そして、ステップＳ２０１に戻る。この制御により、撮影中に撮影パラメータが変更され、撮影中の画像に影響を及ぼすことを防止することができる。
【００１９】
一方、ステップＳ２０２の判別の結果、撮影中でない場合は、他の利用者側装置から撮影パラメータ設定要求を受けて、撮影パラメータの設定処理中であるかどうかを判別する（ステップＳ２０４）。この判別の結果、撮影パラメータの設定処理中である場合は、撮影パラメータの設定処理が完了するまで待つ（ステップＳ２０５）。そして、ステップＳ２０６に進む。一方、ステップＳ２０４の判別の結果、撮影パラメータの設定処理中でない場合は、撮影パラメータ設定要求を送信した利用者側装置の撮影パラメータが記憶部１０３に既に記憶されているかどうかを判別する（ステップＳ２０６）。
【００２０】
この判別の結果、当該利用者側装置の撮影パラメータが記憶されていない場合は、その撮影パラメータを記憶部１０３へ新規に保存する（ステップＳ２０７）。一方、ステップＳ２０６の判別の結果、既に撮影パラメータを記憶している場合は、記憶部１０３に記憶されている当該利用者側装置の撮影パラメータを更新する（ステップＳ２０８）。そして、撮影パラメータを更新または新規保存すると、撮像装置１００において撮影パラメータ受け付け状態とし（ステップＳ２０９）、ステップＳ２０１に戻る。
【００２１】
なお、利用者側装置から撮影パラメータ設定要求を受け、撮影パラメータの設定処理を行う際に、設定する撮影パラメータによっては撮影パラメータの設定処理に時間が多くかかる場合もある。このような場合には、撮影パラメータの設定処理中は、他の利用者側装置からの要求を受け付けないようにしてもよい。
【００２２】
図３は、本実施形態における、第１の利用者側装置３００、第２の利用者側装置４００、または第３の利用者側装置５００から撮影要求（撮影スタンバイ要求及び撮影実行要求）を受けた場合の撮像装置１００の処理手順の一例を示すフローチャートである。ここで撮影スタンバイとは、一般的にレリーズボタンの半押しに応じて行われる処理であり、例えばオートフォーカス処理や露出制御などを行う。また、撮影実行とは実際に被写体を撮像し、画像データを得る動作をいうものとする。なお、図３に示す各処理は、制御部１０２の制御により行われる。また、図３の説明においては、第１の利用者側装置３００から撮影スタンバイ要求及び撮影実行要求を受けた場合の例について説明する。
【００２３】
図３において、まず、通信部１０５を介して利用者側装置から撮影スタンバイ要求を受信するまで待機する（ステップＳ３０１）。そして、撮影スタンバイ要求を受信すると、撮像装置１００が撮影中であるかどうかを判別する（ステップＳ３０２）。この判別の結果、撮影中である場合は、受信した撮影スタンバイ要求を反映しないように制御する（ステップＳ３０３）。そして、ステップＳ３０１に戻る。
【００２４】
一方、ステップＳ３０２の判別の結果、撮影中でない場合は、撮影スタンバイ要求を受け付け、他の利用者側装置からの要求を受け付けないようにする（ステップＳ３０４）。なお、ここでの要求とは、撮影スタンバイ要求だけでなく、撮影パラメータ設定要求なども含まれる。以下、ステップＳ３０４〜Ｓ３１０の状態を撮影中と定義する。次に、第１の利用者側装置３００より受信した撮影スタンバイ要求に応じて、記憶部１０３から第１の利用者側装置３００の撮影パラメータを読み出し、撮影制御を行う（ステップＳ３０５）。
【００２５】
次に、通信部１０５を介して第１の利用者側装置３００から撮影実行要求を受信するまで待機する（ステップＳ３０６）。そして、撮影実行要求を受信すると、撮影部１０１により撮影を行う（ステップＳ３０７）。次に、記憶部１０３から第１の利用者側装置３００の現像パラメータを読み出し、現像部１０４により撮影部１０１で撮影した画像を現像する（ステップＳ３０８）。そして、現像部１０４で現像した画像を画像データとして通信部１０５を介して第１の利用者側装置３００に送信する（ステップＳ３０９）。さらに、撮影処理が終了したことにより他の利用者側装置から要求を受け付ける状態に戻し（ステップＳ３１０）、ステップＳ３０１に戻る。なお、画像データを送信する前に要求を受け付ける状態に戻してもよい。
【００２６】
以上のように本実施形態によれば、記憶部１０３に各利用者側装置に対応する撮影パラメータを記憶しており、撮影実行要求を受信すると、その利用者側装置の撮影パラメータを記憶部１０３から読み出して撮影を行うようにした。これにより、撮影実行要求を送信した利用者側装置の撮影パラメータで撮像装置１００を制御して撮影することができる。また、撮影した画像データを送信した後に要求を受け付ける状態に戻るため、クライアント間での競合の可能性を極力減少させることができる。したがって、他のクライアントは好みのタイミングで撮影したり撮影パラメータを変更したりすることができる。
【００２７】
（第２の実施形態）
以下、本発明の第２の実施形態について説明する。なお、本実施形態に係る撮像装置、利用者側装置の内部構成については図１と同様であるため、説明は省略する。以下、第１の実施形態と異なる点を中心に説明する。第１の実施形態では、利用者側装置から撮影スタンバイ要求を受け付けて撮影中の状態にあるとき、他の利用者側装置からの要求を受け付けないようにした。本実施形態では、このときに他の利用者側装置に対して、撮影中のため要求を受け付けることができない旨を送信する。
【００２８】
図４は、他の利用者側装置に対して、撮影中のため要求を受け付けることができない旨を送信する処理の一例を説明する図である。
図４に示す例では、撮像装置１００は、第１の外部装置である第１の利用者側装置３００から撮影スタンバイ要求を受け付けており撮影中の状態となっている。この状態で第２の外部装置である第２の利用者側装置４００から撮影パラメータ設定要求を受信すると、撮影中である旨、すなわち要求を受け付けない旨を通知する。なお、第２の利用者側装置４００から撮影パラメータ設定要求以外の、撮影スタンバイ要求、撮影実行要求を受信した時も同様に、要求を受け付けない旨を通知する。また、第２の利用者側装置４００の表示部に、「撮像装置１００は現在他のユーザーが撮影中のため、撮影パラメータの変更を行うことが出来ません」等の警告を表示できるようにしてもよい。
【００２９】
また、撮影パラメータ設定処理に時間が多くかかるため、撮影パラメータの設定処理中は他の利用者側装置からの要求を受け付けないようにする場合も、同様の処理を行ってもよい。すなわち、他の利用者側装置に対して撮影パラメータの設定処理中であり、要求を受け付けない旨を送信してもよい。
【００３０】
以上のように本実施形態によれば、第２の利用者側装置４００は、要求を受け付けたものとして誤解してしまうことを防止することができる。また、第２の利用者側装置４００側のユーザーは、要求を受け付けない理由について知ることができる。
【００３１】
（第３の実施形態）
以下、本発明の第３の実施形態について説明する。なお、本実施形態に係る撮像装置、利用者側装置の内部構成については図１と同様であるため、説明は省略する。以下、第１の実施形態と異なる点を中心に説明する。第１の実施形態では、利用者側装置から撮影実行要求を受け付けて撮影中の状態にあるとき、他の利用者側装置からの要求を受け付けないようにした。本実施形態では、撮影実行要求を受け付けてから所定の一定時間以内に他の利用者側装置から撮影実行要求を受信した場合、撮影そのものを１回だけ行い、複数の利用者側装置に対して同じタイミングで撮影された画像データを送信する。この時、撮影に用いる撮影パラメータは同じものとし、現像に用いる現像パラメータは、各利用者側装置の現像パラメータを用いる。
【００３２】
図５は、撮影中に他の利用者側装置から撮影実行要求を受信した場合の処理の一例を説明する図である。
図５に示す例では、撮像装置１００が第１の利用者側装置３００から撮影実行要求を受信してから一定時間内、例えば１ミリ秒の間に第２の利用者側装置４００から撮影実行要求を受信した場合を示している。このとき、撮像装置１００は、第１の利用者側装置３００と第２の利用者側装置４００とが同じタイミングで撮影された画像データを要求していると判断し、１回だけ撮影を行う。そしてそこで得られた撮像データを、第１の利用者側装置３００と第２の利用者側装置４００との両者に送信するための共通の画像データとする。この場合、画像データそのものは第１の利用者側装置３００の撮影パラメータを用いて撮影された画像データである。
【００３３】
撮像装置１００は、得られた撮像データを第１の利用者側装置３００の現像パラメータを用いて現像する。このようにして得られた画像データが第１の利用者側装置３００に送信する画像データとなる。一方、撮像装置１００は、得られた撮像データを第２の利用者側装置４００の現像パラメータを用いて現像する。このようにして得られた画像データが第２の利用者側装置４００に送信する画像データとなる。撮像装置１００は、このようにして得られた現像パラメータの異なる複数の画像データを、各利用者側装置に送信する。
【００３４】
以上のように本実施形態によれば、第２の利用者側装置４００は、本来ならば第１の利用者側装置３００が撮影中のため撮影不可となるところ、シャッターチャンスを逃さずに撮影することができる。そして、第２の利用者側装置４００が望む現像パラメータを用いて現像することができる。
【００３５】
（第４の実施形態）
以下、本発明の第４の実施形態について説明する。なお、本実施形態に係る撮像装置、利用者側装置の内部構成については図１と同様であるため、説明は省略する。以下、第１の実施形態と異なる点についてのみ説明する。本実施形態では、動画像を撮影する時に複数の利用者側装置から撮影実行要求があった際には、各利用者側装置の撮影パラメータを用いて動画像を撮影する。具体的には、動画像を撮影する場合、動画像は秒間ｎ枚の静止画像（フレーム）からなることから、一枚一枚の静止画像（フレーム）を各利用者側装置の撮影パラメータで撮影する。
【００３６】
図６（ａ）は、静止画像に対する撮影パラメータの振り分け手順の一例を説明する図である。
図６（ａ）に示す例では、撮像装置１００に、第１の利用者側装置３００、第２の利用者側装置４００、及び第３の利用者側装置５００から動画像の撮影実行要求があった場合を示している。
【００３７】
まず、撮像装置１００において、動画像のうちの１枚目のフレーム（静止画像）を第１の利用者側装置３００の撮影パラメータを用いて撮影し、第１の利用者側装置３００に送信する。次に、動画像のうちの２枚目のフレーム（静止画像）を第２の利用者側装置４００の撮影パラメータを用いて撮影し、第２の利用者側装置４００に送信する。そして、動画像のうちの３枚目のフレーム（静止画像）を第３の利用者側装置５００の撮影パラメータを用いて撮影し、第３の利用者側装置５００に送信する。そして、４枚目のフレーム（静止画像）は再び第１の利用者側装置３００の撮影パラメータを用いて撮影し、第１の利用者側装置３００に送信する。以上のような手順を繰り返す。
【００３８】
また動画像を撮影するときに、撮像装置１００のスペックによってはフレームレートを落として撮影してもよい。例えば、撮像装置１００の撮影フレームレートをｘfpsとし、３台の利用者側装置から動画像の撮影実行要求があった場合、各利用者側装置の撮影パラメータを用いて撮影される動画像の撮影フレームレートをｘ／３fpsとしてもよい。
【００３９】
図６（ｂ）は、撮影フレームレートを変更して複数の利用者側装置に振り分ける様子を示す図である。
図６（ｂ）に示す例では、撮像装置１００の撮影フレームレートは３０fpsと設定されており、第１の利用者側装置３００、第２の利用者側装置４００、及び第３の利用者側装置５００からほぼ同時に動画像の撮影実行要求があった場合を示している。撮像装置１００において、第１の利用者側装置３００、第２の利用者側装置４００、第３の利用者側装置５００の各々の撮影パラメータで各々１０fpsで動画像を撮影し、撮影した動画像を各々の利用者側装置へ送信する。このとき、各利用者側装置へ送信する動画像データの表示フレームレートは１０fpsとなる。
【００４０】
以上のように本実施形態によれば、各利用者側装置にとって自分の設定した撮影パラメータで動画像を撮影することができる。
【００４１】
（その他の実施形態）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
0005562101.tif 000002
【図２】
0005562101.tif 000003
【図３】
0005562101.tif 000004
【図４】
0005562101.tif 000005
【図５】
0005562101.tif 000006
【図６】
0005562101.tif 000007